(57)【要約】【課題】占有スペースの小ささと操作性の良さとを両立することができる回転操作装置を提供する。【解決手段】回転操作装置１は、第１の回転方向、及び第１の回転方向と逆方向の第２の回転方向に操作可能なダイヤル２と、ダイヤル２の第１の回転方向及び第２の回転方向の操作量を検出する操作量検出部３と、操作量検出部３が検出した第１の回転方向の操作量に基づいて空調装置６の第１の機能６１を制御する第１の制御信号Ｓ３、及び第２の回転方向の操作量に基づいて第１の機能６１と異なる第２の機能６２を制御する第２の制御信号Ｓ４を出力する制御部５と、を備えて概略構成されている。【選択図】図１
2020125019.tif 000002
【特許請求の範囲】
【請求項１】
第１の回転方向、及び前記第１の回転方向と逆方向の第２の回転方向に操作可能なダイヤルと、
前記ダイヤルの前記第１の回転方向及び前記第２の回転方向の操作量を検出する操作量検出部と、
前記操作量検出部が検出した前記第１の回転方向の操作量に基づいて制御対象の第１の機能を制御する第１の制御信号、及び前記第２の回転方向の操作量に基づいて前記第１の機能と異なる第２の機能を制御する第２の制御信号を出力する制御部と、
を備えた回転操作装置。
【請求項２】
前記第１の機能及び前記第２の機能のそれぞれは、切り替わりの順序が予め定められた、複数の設定を有し、
前記制御部は、前記第１の回転方向の前記操作量に応じて前記第１の機能の複数の設定を切り替わりの順序に従って切り替える前記第１の制御信号を出力すると共に、前記第２の回転方向の前記操作量に応じて前記第２の機能の複数の設定を切り替わりの順序に従って切り替える前記第２の制御信号を出力する、
請求項１に記載の回転操作装置。
【請求項３】
前記第１の機能及び前記第２の機能に関する表示を行う表示部を備えた、
請求項１又は２に記載の回転操作装置。
【請求項４】
前記第１の機能及び前記第２の機能のそれぞれは、切り替わりの順序が予め定められた、複数の設定を有し、
前記表示部は、前記第１の機能の複数の設定に関する第１の表示を第１の円に沿って行うと共に、前記第２の機能の複数の設定に関する第２の表示を前記第１の円の同心円であって前記第１の円より直径が大きい第２の円に沿って行う、
請求項３に記載の回転操作装置。
【請求項５】
前記制御部は、一方の回転方向の操作終了時から予め定められた許容期間内に他方の回転方向の操作が検出された際、前記他方の回転方向の操作量が第１の操作量以下であった場合には検出された前記他方の回転方向の操作を無効とし、
前記他方の回転方向の操作量が前記第１の操作量より大きく、第２の操作量より小さい場合には前記一方の回転方向の操作によって切り替えた設定を１つ戻す制御を行う、
請求項２又は４に記載の回転操作装置。
【発明の詳細な説明】
【技術分野】
【０００１】
本発明は、回転操作装置に関する。
【背景技術】
【０００２】
従来の技術として、第１の操作ダイヤルと第２の操作ダイヤルとを軸方向で重合させて軸部材回りで回転可能に備えた車両用空調装置の操作装置が知られている（例えば、特許文献１参照。）。
【０００３】
この車両用空調装置の操作装置は、第１の操作ダイヤルが空調強度、送風量のいずれか一方を操作することができ、第２の操作ダイヤルが空調強度、送風量のいずれか他方を操作することができる。従って車両用空調装置の操作装置は、２つの操作ダイヤルが１つの操作ダイヤルのように重ねて配置されるので、２つの操作ダイヤルを並べて配置するよりも占有スペースを小さくすることができる。
【先行技術文献】
【特許文献】
【０００４】
【特許文献１】特開２０１０−６１１０号公報
【発明の概要】
【発明が解決しようとする課題】
【０００５】
しかし従来の車両用空調装置の操作装置は、占有スペースが小さいものの空調強度と送風量の両方を連続して操作する際、操作ダイヤルを持ち替えなければならず、操作性が良くなかった。
【０００６】
従って本発明の目的は、占有スペースの小ささと操作性の良さとを両立することができる回転操作装置を提供することにある。
【課題を解決するための手段】
【０００７】
本発明の一態様は、第１の回転方向、及び第１の回転方向と逆方向の第２の回転方向に操作可能なダイヤルと、ダイヤルの第１の回転方向及び第２の回転方向の操作量を検出する操作量検出部と、操作量検出部が検出した第１の回転方向の操作量に基づいて制御対象の第１の機能を制御する第１の制御信号、及び第２の回転方向の操作量に基づいて第１の機能と異なる第２の機能を制御する第２の制御信号を出力する制御部と、を備えた回転操作装置を提供する。
【発明の効果】
【０００８】
本発明によれば、占有スペースの小ささと操作性の良さとを両立することができる。
【図面の簡単な説明】
【０００９】
【図１】図１（ａ）は、第１の実施の形態に係る回転操作装置の一例が搭載された車両内部の概略図であり、図１（ｂ）は、回転操作装置の一例を示す概略図である。
【図２】図２（ａ）は、第１の実施の形態に係る回転操作装置のブロック図の一例であり、図２（ｂ）は、回転操作装置を備えた空調装置のブロック図の一例であり、図２（ｃ）は、第１の機能の複数の設定の一例を示す概略図であり、図２（ｄ）は、第２の機能の複数の設定の一例を示す概略図である。
【図３】図３（ａ）は、第１の実施の形態に係る回転操作装置の第１の機能の設定を切り替える操作の一例を示す概略図であり、図３（ｂ）は、第２の機能の設定を切り替える操作の一例を示す概略図である。
【図４】図４は、第１の実施の形態に係る回転操作装置の動作の一例を示すフローチャートである。
【図５】図５（ａ）は、第２の実施の形態に係る回転操作装置のブロック図の一例であり、図５（ｂ）は、ダイヤルの第１の操作量及び第２の操作量の一例を説明するための概略図である。
【図６】図６は、第２の実施の形態に係る回転操作装置の動作の一例を説明するためのフローチャートである。
【図７】図７（ａ）は、第３の実施の形態に係る回転操作装置の一例を示す概略図であり、図７（ｂ）は、回転操作装置のラチェット機構の一例を示す概略図である。
【発明を実施するための形態】
【００１０】
（実施の形態の要約）
実施の形態に係る回転操作装置は、第１の回転方向、及び第１の回転方向と逆方向の第２の回転方向に操作可能なダイヤルと、ダイヤルの第１の回転方向及び第２の回転方向の操作量を検出する操作量検出部と、操作量検出部が検出した第１の回転方向の操作量に基づいて制御対象の第１の機能を制御する第１の制御信号、及び第２の回転方向の操作量に基づいて第１の機能と異なる第２の機能を制御する第２の制御信号を出力する制御部と、を備えて概略構成されている。
【００１１】
この回転操作装置は、１つのダイヤルで２つの異なる機能を操作することができるので、２つの異なる機能を２つのダイヤルで操作する場合と比べて、占有スペースが小さくなる。また回転操作装置は、ユーザが２つの異なる機能を連続して操作したい場合、ダイヤルを持ち替える必要がないので、操作性が良い。従って回転操作装置は、占有スペースの小ささと操作性の良さとを両立することができる。
【００１２】
[第１の実施の形態]
（回転操作装置１の概要）
以下に記載する実施の形態に係る各図において、図形間の比率は、実際の比率とは異なる場合がある。また図２（ａ）、図２（ｂ）及び図５（ａ）では、主な信号や情報の流れを矢印で示している。さらに数値範囲を示す「Ａ〜Ｂ」は、Ａ以上Ｂ以下の意味で用いるものとする。
【００１３】
回転操作装置１は、例えば、図１（ａ）に示すように、車両８に搭載された制御対象としての電子機器の回転操作部として機能するように構成されている。この回転操作装置１は、一例として、車両８のセンターコンソール８０に配置されている。車両８に搭載された電子機器とは、例えば、空調装置、カーナビゲーション装置、音楽及び映像再生装置などである。
【００１４】
本実施の形態の回転操作装置１は、一例として、空調装置６の風量の設定と吹出口の切り替えが可能であるがこれに限定されず、温度の設定、内気と外気の切り替えなどが可能とされても良い。また回転操作装置１は、電子機器に複数配置されても良い。
【００１５】
この回転操作装置１は、例えば、図１（ｂ）〜図２（ｂ）に示すように、第１の回転方向、及び第１の回転方向と逆方向の第２の回転方向に操作可能なダイヤル２と、ダイヤル２の第１の回転方向及び第２の回転方向の操作量を検出する操作量検出部３と、操作量検出部３が検出した第１の回転方向の操作量に基づいて空調装置６の第１の機能６１を制御する第１の制御信号Ｓ３、及び第２の回転方向の操作量に基づいて第１の機能６１と異なる第２の機能６２を制御する第２の制御信号Ｓ４を出力する制御部５と、を備えて概略構成されている。
【００１６】
第１の機能及び前記第２の機能のそれぞれは、切り替わりの順序が予め定められた、複数の設定を有している。制御部５は、第１の回転方向の操作量に応じて第１の機能６１の複数の設定を切り替わりの順序に従って切り替える第１の制御信号Ｓ３を出力すると共に、第２の回転方向の操作量に応じて第２の機能６２の複数の設定を切り替わりの順序に従って切り替える第２の制御信号Ｓ４を出力する。
【００１７】
第１の回転方向は、例えば、図１（ｂ）の紙面において反時計回りとなる矢印Ａ方向である。また第２の回転方向は、例えば、時計回りとなる矢印Ｂ方向である。
【００１８】
第１の機能６１は、一例として、温度調整された空気の風量を設定する機能である。この第１の機能６１の複数の設定とは、例えば、図２（ｃ）に示す第１の風量６１ａ〜オート６１ｄである。この複数の設定の切り替わりの順序は、第１の風量６１ａ、第２の風量６１ｂ、第３の風量６１ｃ、オート６１ｄであり、オート６１ｄの次は先頭の第１の風量６１ａに戻ってループするようになっている。
【００１９】
第２の機能６２は、一例として、温度調整された空気が吹き出す吹出口を切り替える機能である。この第２の機能６２の複数の設定とは、例えば、図２（ｄ）に示す第１の吹出口６２ａ〜オート６２ｆである。この複数の設定の切り替わりの順序は、第１の吹出口６２ａ、第２の吹出口６２ｂ、第３の吹出口６２ｃ、第４の吹出口６２ｄ、第５の吹出口６２ｅ、オート６２ｆであり、オート６２ｆの次は先頭の第１の吹出口６２ａに戻ってループするようになっている。
【００２０】
また回転操作装置１は、第１の機能６１及び第２の機能６２に関する表示を行う表示部４を備えている。この表示部４は、例えば、図１（ａ）に示すように、ダイヤル２と共にセンターコンソール８０に配置されている。
【００２１】
空調装置６は、例えば、図２（ｂ）に示すように、回転操作装置１と、主要部６０と、を備えて概略構成される。この主要部６０とは、例えば、温度調整された空気を生成する生成部、温度調整された空気の吹出口を切り替える切替部、生成部や切替部などを制御する制御部などを備えて概略構成されている。
【００２２】
（ダイヤル２の構成）
ダイヤル２は、例えば、図１（ａ）及び図１（ｂ）に示すように、円筒形状を有して表示部４の近傍に配置されている。なおダイヤル２の配置は、例えば、表示部４の近傍に限定されず、フロアコンソール８２やドアのアームレストなどのように表示部４と離れて配置されても良い。
【００２３】
ダイヤル２は、例えば、一定の間隔でクリック感（節度感）を発生させるように構成されている。本実施の形態のダイヤル２は、一例として、３０°間隔でクリック感を発生させる、つまり３０°間隔で節度位置が設けられているがクリック感を発生する角度はこれに限定されない。なおダイヤル２は、節度位置を持たない構成であっても良い。
【００２４】
（操作量検出部３の構成）
操作量検出部３は、例えば、ダイヤル２の回転方向と操作量を検出するように構成されている。操作量検出部３は、例えば、回転方向と操作量を検出可能とされた回転角センサやロータリーエンコーダなどを用いて構成されている。本実施の形態の操作量検出部３は、一例として、回転角センサによってダイヤル２の回転方向と回転量を検出するように構成されている。なお操作量検出部３は、ダイヤル２が節度位置を有する場合、例えば、節度位置に応じて複数のスイッチを有して構成されても良い。この場合、制御部５は、複数のスイッチのオン、オフによってダイヤル２の回転方向と回転量を判定することができる。
【００２５】
この操作量検出部３は、例えば、磁石と回転角センサとを備え、磁石がダイヤル２側に取り付けられ、回転角センサがダイヤル２を支持する支持体側に配置される。回転角センサは、ダイヤル２の回転による磁石の磁場の変化を検出し、検出した磁場の変化に基づいて操作量情報Ｓ１を生成して制御部５に出力する。制御部５は、この操作量情報Ｓ１に基づいて回転方向と操作量を判定する。なお操作量情報Ｓ１は、例えば、回転方向と操作量に変換可能な情報であれば良く、操作量検出部３側で変換した回転方向と回転角の情報であっても良いし、制御部５側で回転方向と回転角に変換可能なデジタル信号やアナログ信号であっても良い。
【００２６】
（表示部４の構成）
表示部４は、例えば、液晶ディスプレイや有機ＥＬ（Electro-Luminescence）ディスプレイである。この表示部４は、例えば、センターコンソール８０に配置されているがこれに限定されない。なお回転操作装置１は、表示部４を備えず、センターコンソール８０に配置されたメインモニタ８１や速度計などの計器類が配置されたインストルメントパネル８３のサブモニタ８４を表示部として用いても良い。
【００２７】
表示部４は、空調装置６の第１の機能６１の複数の設定（第１の風量６１ａ〜オート６１ｄ）に関する第１の表示４１を第１の円４３に沿って行うと共に、空調装置６の第２の機能６２の複数の設定（第１の吹出口６２ａ〜オート６２ｆ）に関する第２の表示４２を第１の円４３の同心円であって第１の円４３より直径が大きい第２の円４４に沿って行うように構成されている。
【００２８】
第１の円４３は、例えば、図１（ｂ）に点線で示す直径が小さい方の円である。第２の円４４は、例えば、図１（ｂ）に点線で示す直径が大きい方の円である。なお第１の円４３及び第２の円４４は、説明のために図示したものであり、実際の表示画面４０には、表示されない。また同様に、図１（ｂ）に点線で示す矢印は、説明のために図示したものであり、実際の表示画面４０には、表示されない。
【００２９】
表示部４は、第１の機能６１の複数の設定に関する第１の表示４１として第１の風量表示４１ａ〜第４の風量表示４１ｄを表示する。図１（ｂ）では、第２の風量６１ｂが選択されており、紙面上側からダイヤル２の第１の回転方向（矢印Ａ方向）である反時計回りに、第４の風量表示４１ｄ、第３の風量表示４１ｃ、第２の風量表示４１ｂ及び第１の風量表示４１ａの順で図示されている。
【００３０】
また表示部４は、第２の機能６２の複数の設定に関する第２の表示４２として第１の吹出口表示４２ａ〜第６の吹出口表示４２ｆを表示する。図１（ｂ）では、第３の吹出口６２ｃが選択されており、紙面上側からダイヤル２の第２の回転方向（矢印Ｂ方向）である時計回りに、第６の吹出口表示４２ｆ、第１の吹出口表示４２ａ、第２の吹出口表示４２ｂ、第３の吹出口表示４２ｃ、第４の吹出口表示４２ｄ及び第５の吹出口表示４２ｅの順で図示されている。
【００３１】
また表示部４は、例えば、図１（ｂ）に示す括弧形状を有する選択表示４５を表示する。この選択表示４５は、選択された風量表示と吹出口表示を囲むように表示画面４０の中央下に表示されている。なお現在選択されている風量表示と吹出口表示の提示方法は、選択表示４５で囲む提示方法に限定されず、風量表示と吹出口表示の位置が変わらず、これらの色や輝度、形状が変化して選択されたことを示す提示方法でも良いし、風量表示と吹出口表示を囲む画像がそれぞれ選択された表示に移動する提示方法などであっても良い。
【００３２】
表示部４は、例えば、図２（ａ）に示すように、制御部５から出力される表示制御信号Ｓ２に基づいて表示を行う。
【００３３】
（制御部５の構成）
制御部５は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部５が動作するためのプログラムが格納されている。ＲＡＭは、例えば、一時的に演算結果などを格納する記憶領域として用いられる。また制御部５は、その内部にクロック信号を生成する手段を有し、このクロック信号に基づいて動作を行うと共に時間の測定を行う。
【００３４】
制御部５は、操作量検出部３から出力された操作量情報Ｓ１に基づいて回転方向及び操作量を取得する。そして制御部５は、回転方向に基づいて第１の機能６１か第２の機能６２かを判定する。
【００３５】
制御部５は、ダイヤル２が第１の回転方向（矢印Ａ方向）に操作された場合、操作量に応じて第１の機能６１を切り替える。制御部５は、例えば、図２（ｃ）に示すように、第１の機能６１として第１の風量６１ａ〜オート６１ｄの４つの風量が設定可能である場合、ダイヤル２が矢印Ａ方向に１節度分回転する度に、風量を１つずつ順番に切り替える。従って制御部５は、ダイヤル２が１節度分、つまり節度位置が切り替わり位置となり、矢印Ａ方向に３０°回転すると、選択されている風量の次の風量に切り替える。言い換えるなら制御部５は、操作量が１節度分に満たない場合、つまり回転角が３０°未満であった場合、風量を切り替えない。
【００３６】
具体的には、制御部５は、例えば、第１の風量６１ａが選択されていた場合、ダイヤル２の第１の回転方向の操作に応じて第２の風量６１ｂ〜オート６１ｄの順に風量と選択に対応する表示を切り替える。なお制御部５は、ダイヤル２が１回転すると、第１の風量６１ａ〜オート６１ｄまで切り替えるように構成されても良い。
【００３７】
また制御部５は、例えば、図２（ｄ）に示すように、第２の機能６２として第１の吹出口６２ａ〜オート６２ｆの６つの吹出口が設定可能である場合、ダイヤル２が矢印Ｂ方向に１節度分回転する度に、吹出口を１つずつ順番に切り替える。つまり制御部５は、ダイヤル２が１節度分、つまり矢印Ｂ方向に３０°回転すると、選択されている吹出口の次の吹出口に切り替える。言い換えるなら制御部５は、操作量が１節度分に満たない場合、つまり回転角が３０°未満であった場合、吹出口を切り替えない。
【００３８】
具体的には、制御部５は、例えば、第１の吹出口６２ａが選択されていた場合、ダイヤル２の第２の回転方向の操作に応じて第２の吹出口６２ｂ〜オート６２ｆの順に吹出口と選択に対応する表示を切り替える。なお制御部５は、ダイヤル２が１回転すると、第１の吹出口６２ａ〜オート６２ｆまで切り替えるように構成されても良い。
【００３９】
制御部５は、回転方向と操作量に応じて第１の機能６１を制御する第１の制御信号Ｓ３、及び第２の機能６２を制御する第２の制御信号Ｓ４を空調装置６の主要部６０に出力する。
【００４０】
また制御部５は、例えば、図２（ｂ）に示すように、主要部６０から出力された表示指示信号Ｓ５に基づいて表示部４に出力する表示制御信号Ｓ２を生成すると共に、判定した回転方向及び操作量に応じて表示画面４０の表示を切り替える表示制御信号Ｓ２を生成する。
【００４１】
（第１の機能６１及び第２の機能６２について）
第１の機能６１の第１の風量６１ａ〜第３の風量６１ｃは、第１の風量６１ａ〜第３の風量６１ｃと選択されるに従って風量を増加させる機能である。またオート６１ｄは、車室内の温度などに応じて風量を主要部６０側で調整する機能である。第１の風量６１ａ〜オート６１ｄは、第１の風量表示４１ａ〜第４の風量表示４１ｄとして表示部４に表示される。
【００４２】
第２の機能６２の第１の吹出口６２ａは、上半身に送風する吹出口に切り替える機能である。第２の吹出口６２ｂは、足元に送風する吹出口に切り替える機能である。第３の吹出口６２ｃは、上半身と足元に送風する吹出口に切り替える機能である。第４の吹出口６２ｄは、フロントのウインドウに送風する吹出口に切り替える機能、つまりフロントのウインドウの曇りを解消する機能（デフロスタ機能）である。第５の吹出口６２ｅは、リアのウインドウに送風する吹出口に切り替える機能、つまりリアのウインドウの曇りを解消する機能（リアデフォッガ機能）である。オート６２ｆは、車室内の温度などに応じて吹出口を主要部６０側で選択する機能である。第１の吹出口６２ａ〜オート６２ｆは、第１の吹出口表示４２ａ〜第６の吹出口表示４２ｆとして表示部４に表示される。
【００４３】
（表示の切り替えについて）
図３（ａ）及び図３（ｂ）では、ユーザが図１（ｂ）に示す状態から操作指９０〜操作指９２（親指、人差指及び中指）を用いてダイヤル２を持ち替えずに第１の機能６１及び第２の機能６２を連続して操作する場合を図示している。以下では、ユーザが１節度分、第１の回転方向に操作した後、続けて１節度分、第２の回転方向に操作した場合について説明する。
【００４４】
・第１の表示４１
ユーザがダイヤル２を第１の回転方向（矢印Ａ方向）に操作すると、例えば、図３（ａ）に示すように、表示画面４０に表示された第１の表示４１がダイヤル２の回転方向と同じ方向に回転する。
【００４５】
具体的には、回転操作装置１は、例えば、図１（ｂ）に示すように、第１の機能６１として第２の風量６１ｂが選択されていた場合、ダイヤル２が１節度分、反時計回りに操作されると、設定を第２の風量６１ｂから第３の風量６１ｃに切り替える。そして回転操作装置１は、設定の切り替えに連動して第１の風量表示４１ａ〜第４の風量表示４１ｄを回転させ、選択表示４５で囲まれた表示を第２の風量表示４１ｂから第３の風量表示４１ｃに切り替える。
【００４６】
・第２の表示４２
次に、ユーザがダイヤル２を第２の回転方向（矢印Ｂ方向）に操作すると、例えば、図３（ｂ）に示すように、表示画面４０に表示された第２の表示４２がダイヤル２の回転方向と同じ方向に回転する。
【００４７】
具体的には、回転操作装置１は、例えば、図１（ｂ）に示すように、第２の機能６２として第３の吹出口６２ｃが選択されていた場合、ダイヤル２が１節度分、時計回りに操作されると、設定を第３の吹出口６２ｃから第２の吹出口６２ｂに切り替える。そして回転操作装置１は、設定の切り替えに連動して第１の吹出口表示４２ａ〜第６の吹出口表示４２ｆを回転させ、選択表示４５で囲まれた表示を第３の吹出口表示４２ｃから第２の吹出口表示４２ｂに切り替える。
【００４８】
このように、ユーザが風量の設定と吹出口の切り替えを連続して行いたい場合、ダイヤル２を持ち替えなくても素早く操作することができる。
【００４９】
以下に回転操作装置１の動作の一例について図４のフローチャートに従って説明する。
【００５０】
（動作）
回転操作装置１の制御部５は、操作量検出部３から取得する操作量情報Ｓ１に基づいてダイヤル２が操作されるか否かを監視する。制御部５は、ステップ１の「Ｙｅｓ」が成立する、つまり操作がなされたと判定すると（Ｓｔｅｐ１：Ｙｅｓ）、操作方向が第１の回転方向（矢印Ａ方向）であった場合（Ｓｔｅｐ２：Ｙｅｓ）、操作量に応じて第１の機能６１の設定を切り替えさせる第１の制御信号Ｓ３を主要部６０に出力する（Ｓｔｅｐ３）。そして制御部５は、切り替えた第１の機能６１の設定に基づいた表示制御信号Ｓ２を表示部４に出力して表示を切り替え（Ｓｔｅｐ４）、設定の切り替え動作を終了する。
【００５１】
ここでステップ２において制御部５は、操作方向が第２の回転方向（矢印Ｂ方向）であった場合（Ｓｔｅｐ２：Ｎｏ）、操作量に応じて第２の機能６２の設定を切り替えさせる第２の制御信号Ｓ４を主要部６０に出力する（Ｓｔｅｐ５）。そして制御部５は、切り替えた第２の機能６２の設定に基づいた表示制御信号Ｓ２を表示部４に出力して表示を切り替え（Ｓｔｅｐ６）、設定の切り替え動作を終了する。
【００５２】
（第１の実施の形態の効果）
本実施の形態に係る回転操作装置１は、占有スペースの小ささと操作性の良さとを両立することができる。具体的には、回転操作装置１は、ダイヤル２で第１の機能６１及び第２の機能６２を操作することができるので、２つの異なる機能を２つのダイヤルで操作する場合と比べて、占有スペースが小さくなる。また回転操作装置１は、ユーザが第１の機能６１及び第２の機能６２を連続して操作したい場合、ダイヤル２を持ち替える必要がないので、操作性が良い。従って回転操作装置１は、占有スペースの小ささと操作性の良さとを両立することができる。
【００５３】
回転操作装置１は、第１の表示４１及び第２の表示４２が同心円となる第１の円４３及び第２の円４４に沿って表示されているので、ユーザがダイヤル２の回転方向と操作可能な機能とを認識し易い。また回転操作装置１は、第１の表示４１及び第２の表示４２が第１の円４３及び第２の円４４に沿って回転方向に回転するので、ユーザがどの機能のどの設定を選択しようとしているのかを認識し易く、また所望の設定までの操作量が分かり易い。
【００５４】
［第２の実施の形態］
第２の実施の形態は、ダイヤルを回し過ぎて戻した際の制御が他の実施の形態と異なっている。
【００５５】
なお以下に記載する実施の形態において、第１の実施の形態と同じ機能及び構成を有する部分は、第１の実施の形態と同じ符号を付し、その説明は省略するものとする。
【００５６】
本実施の形態の回転操作装置１の制御部５は、例えば、図５（ａ）及び図５（ｂ）に示すように、一方の回転方向の操作終了時から予め定められた許容期間５０内に他方の回転方向の操作が検出された際、他方の回転方向の操作量が第１の操作量以下であった場合には検出された他方の回転方向の操作を無効とし、他方の回転方向の操作量が第１の操作量より大きく、第２の操作量より小さい場合には一方の回転方向の操作によって切り替えた設定を１つ戻す制御を行うように構成されている。
【００５７】
この許容期間５０は、一例として、１秒であるがこれに限定されない。また制御部５は、他方の回転方向の操作量が第１の操作量以下であり、かつ他方の回転方向の操作で節度位置を超えていた場合であっても検出された他方の回転方向の操作を無効とする。
【００５８】
第１の操作量は、例えば、図５（ｂ）に示す第１の角度θ１である。この第１の角度θ１は、例えば、第２の回転位置Ｒ２を基準とした第３の回転位置Ｒ３までの角度として算出される。この第２の回転位置Ｒ２とは、第１の回転位置Ｒ１から始まった一方の回転方向の操作終了時のダイヤル２の回転位置である。第１の角度θ１は、一方の回転方向の操作終了時の回転位置からの他方の回転方向の微小な操作を無効とするために設定された角度である。この第１の角度θ１は、一例として、節度位置間の角度が３０°である場合、１５°であるがこれに限定されない。
【００５９】
また第２の操作量は、例えば、図５（ｂ）に示す第２の角度θ２である。この第２の角度θ２は、第２の回転位置Ｒ２から第３の回転位置Ｒ３より大きい節度位置Ｒ４までの角度として算出される。この節度位置Ｒ４は、節度感を生成するため、等間隔となるように予め設定されている。
【００６０】
制御部５は、一方の回転方向の操作が終了した後、許容期間５０内に他方の回転方向の操作が終了した回転位置Ｒ５が第３の回転位置Ｒ３より大きく、節度位置Ｒ４より小さい場合、一方の回転方向の操作によって切り替えた設定を１つ戻す制御を行う。言い換えるなら制御部５は、一方の回転方向の操作が終了した第２の回転位置Ｒ２から他方の回転方向の操作が終了した回転位置Ｒ５までの角度θ３が第１の角度θ１より大きく、第２の角度θ２より小さい場合、一方の回転方向の操作によって切り替えた設定を１つ戻す制御を行う。
【００６１】
そして制御部５は、許容期間５０内であっても他方の回転方向の操作が終了した回転位置Ｒ５が節度位置Ｒ４以上であった場合、超えた節度位置の数に応じて他方の回転方向の設定を切り替える。言い換えるなら制御部５は、第２の回転位置Ｒ２から他方の回転方向の操作が終了した回転位置Ｒ５までの角度θ３が第２の回転位置Ｒ２から節度位置Ｒ４までの第２の角度θ２以上であった場合、超えた節度位置の数に応じて回転位置に応じて他方の回転方向の設定を切り替える。
【００６２】
なお第１の操作量及び第２の操作量は、角度に限定されず、操作量検出部３が出力する操作量情報Ｓ１に応じた値を用いて設定されても良い。
【００６３】
つまり回転操作装置１は、一例として、図５（ｂ）に示すように、ユーザがダイヤル２を第１の回転方向に第１の回転位置Ｒ１から第２の回転位置Ｒ２に操作することで、第１の機能６１の設定が所望の設定の次の設定に切り替わってしまった場合、逆方向（第２の回転方向）の操作が条件を満たしていると、所望の設定の再選択を許可するように構成されている。
【００６４】
具体的には、例えば、図１（ｂ）に示すように、ユーザが現在選択されている第２の風量６１ｂから所望の設定であるオート６１ｄを選択する際、ダイヤル２を回し過ぎて所望の設定の次の設定である第１の風量６１ａが設定されると、再度所望の設定とするためには、さらにダイヤル２を第１の回転方向に回転させなければならない。
【００６５】
制御部５は、第１の回転方向の操作終了時の第２の回転位置Ｒ２から逆方向（第２の回転方向）に操作されて回転位置Ｒ５にダイヤル２が操作された場合、この操作が許容期間５０内に行われ、かつ回転位置Ｒ５の角度θ３がθ１＜θ３＜θ２を満たす場合、操作を受け付け、第２の機能６２ではなく、第１の機能６１の設定を１つ戻す。つまり制御部５は、ユーザが第２の回転方向に操作しているにも拘らず、第１の機能６１の第１の風量６１ａを１つ前のオート６１ｄに戻す第１の制御信号Ｓ３を出力する。
【００６６】
以下に、本実施の形態の回転操作装置１の動作の一例について図６のフローチャートに従って説明する。ここでは、一方の回転操作終了時からの動作について説明する。
【００６７】
（動作）
制御部５は、ステップ１０の「Ｙｅｓ」が成立する、つまり一方の回転方向の操作が終了すると（Ｓｔｅｐ１０：Ｙｅｓ）、操作が終了してからの時間を測定する（Ｓｔｅｐ１１）。なお制御部５は、一例として、一方の回転方向から他方の回転方向に操作が変わる時点を一方の回転方向の操作の終了として判定するように構成しても良いし、操作が検出されなくなった時間が定められた時間以上となると操作の終了として判定するように構成しても良い。制御部５は、いずれの場合であっても一方の回転方向の操作が検出されなくなった時点を起点として時間の測定を行う。
【００６８】
制御部５は、許容期間５０内に他方の回転方向の操作が検出されると（Ｓｔｅｐ１２）、第２の回転位置Ｒ２から他方の回転方向の操作終了時の回転位置Ｒ５までの角度θ３を算出し、第２の回転位置Ｒ２を基準に算出された第１の角度θ１及び第２の角度θ２と比較する。なお制御部５は、一例として、他方の回転方向の操作の検出が終了してからの時間が定められた時間以上となった場合、操作の終了と判定する。
【００６９】
制御部５は、θ１＜θ３＜θ２が成立する場合（Ｓｔｅｐ１３：Ｙｅｓ）、一方の回転方向の設定を１つ前に戻す制御信号と表示を１つ前に戻す表示制御信号とを出力し（Ｓｔｅｐ１４）、設定の切り替え動作を終了する。
【００７０】
ここでステップ１２において制御部５は、許容期間５０内に逆方向の操作が検出されなかった場合（Ｓｔｅｐ１２：Ｎｏ）、設定の切り替え動作を終了する。
【００７１】
またステップ１３において制御部５は、θ１＜θ３＜θ２が成立しない場合で（Ｓｔｅｐ１３：Ｎｏ）、θ２≦θ３が成立する場合（Ｓｔｅｐ１５：Ｙｅｓ）、一方の回転方向の設定を切り替える制御信号と表示制御信号を出力し（Ｓｔｅｐ１６）、設定の切り替え動作を終了する。
【００７２】
さらにステップ１５において制御部５は、０°≦θ３≦θ１が成立する場合（Ｓｔｅｐ１５：Ｎｏ）、操作を無効として設定の切り替え動作を終了する。
【００７３】
（第２の実施の形態の効果）
本実施の形態の回転操作装置１は、ユーザがダイヤル２を回し過ぎて所望の設定を選択できなかった場合であっても、許容期間５０内であることなどの条件を満たした場合、一方の回転方向の操作によって切り替えた設定を戻すことができる。従って回転操作装置１は、設定が戻らない場合と比べて、操作性が良い。
【００７４】
[第３の実施の形態]
第３の実施の形態は、ダイヤルに現在の設定が表示される点で他の実施の形態と異なっている。
【００７５】
本実施の形態の回転操作装置１は、例えば、図７（ａ）に示すように、第１の機能６１及び第２の機能６２に関する表示を行う表示部４がダイヤル２に設けられている。またダイヤル２は、表示部４としての第１の表示開口４ａ及び第２の表示開口４ｂが設けられた上部２０と、ダイヤル２の側面部分であってリング形状を有するリング操作部２１と、を備えて概略構成されている。
【００７６】
リング操作部２１は、第１の回転方向及び第２の回転方向に回転する。そして上部２０は、リング操作部２１に回転には連動せず車両８に対して静止している。
【００７７】
また回転操作装置１は、例えば、図７（ｂ）に示すように、ラチェット機構７を備えている。
【００７８】
このラチェット機構７は、第１のラチェット部７１と、第２のラチェット部７２と、を備えている。第１のラチェット部７１は、第１の機能６１を切り替えるため、第２の回転方向の回転を許容せず、第１の回転方向の回転を許容するように構成されている。また第２のラチェット部７２は、第２の機能６２を切り替えるため、第１の回転方向の回転を許容せず、第２の回転方向の回転を許容するように構成されている。
【００７９】
第１のラチェット部７１は、例えば、図７（ｂ）に示すように、リング操作部２１に連動して回転しない固定部７１０と、リング操作部２１に連動して回転する可動部７１１と、を備えている。第１の表示４１は、可動部７１１に設けられ、第１の風量表示４１ａ〜第４の風量表示４１ｄがリング操作部２１の回転に伴って第１の表示開口４ａから露出する。
【００８０】
第２のラチェット部７２は、例えば、図７（ｂ）に示すように、リング操作部２１に連動して回転しない固定部７２０と、リング操作部２１に連動して回転する可動部７２１と、を備えている。
【００８１】
可動部７１１及び可動部７２１は、リング操作部２１に連動して第１の回転方向及び第２の回転方向に回転する。可動部７１１及び可動部７２１は、一例として、リング操作部２１との摩擦力によって回転するように構成され、一方の固定部によって回転が阻害されると一方の可動部の回転が停止し、他方の固定部によって回転が許容されると他方の可動部が回転するように構成されている。固定部７１０及び固定部７２０には、ピン７１２及びピン７２２が設けられ、可動部７１１の歯７１３の間、及び可動部７２１の歯７２３の間に嵌り、可動部７１１及び可動部７２１の回転する方向を制御している。なおダイヤル２は、ラチェット機構７以外の構成を採用しても良い。
【００８２】
操作量検出部３は、可動部７１１及び可動部７２１の回転を検出するように構成されている。そして制御部５は、可動部７１１及び可動部７２１の回転の検出に基づいて第１の制御信号Ｓ３及び第２の制御信号Ｓ４を主要部６０に出力する。
【００８３】
本実施の形態の回転操作装置１は、機械式のダイヤル２によってダイヤル２の上部２０に第１の機能６１及び第２の機能６２の第１の表示４１及び第２の表示４２を行うことができるので、ダイヤル２から離れて表示する場合と比べて、より小型化することができる。
【００８４】
なお変形例として、回転操作装置１は、ダイヤル２の上部２０に有機ＥＬディスプレイなどの表示部４を設けても良い。
【００８５】
以上述べた少なくとも１つの実施の形態の回転操作装置１によれば、占有スペースの小ささと操作性の良さとを両立することが可能となる。
【００８６】
上述の実施の形態及び変形例に係る回転操作装置１は、例えば、用途に応じて、その一部が、コンピュータが実行するプログラム、ＡＳＩＣ（Application Specific Integrated Circuit）及びＦＰＧＡ（Field Programmable Gate Array）などによって実現されても良い。
【００８７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００８８】
１…回転操作装置、２…ダイヤル、３…操作量検出部、４…表示部、４ａ…第１の表示開口、４ｂ…第２の表示開口、５…制御部、６…空調装置、７…ラチェット機構、８…車両、２０…上部、２１…リング操作部、４０…表示画面、４１…第１の表示、４１ａ〜４１ｄ…第１の風量表示〜第４の風量表示、４２…第２の表示、４２ａ〜４２ｆ…第１の吹出口表示〜第６の吹出口表示、４３…第１の円、４４…第２の円、４５…選択表示、５０…許容期間、６０…主要部、６１…第１の機能、６１ａ〜６１ｄ…第１の風量〜オート、６２…第２の機能、６２ａ〜６２ｆ…第１の吹出口〜オート、７１…第１のラチェット部、７２…第２のラチェット部、８０…センターコンソール、８１…メインモニタ、８２…フロアコンソール、８３…インストルメントパネル、８４…サブモニタ、９０〜９２…操作指、７１０…固定部、７１１…可動部、７１２…ピン、７１３…歯、７２０…固定部、７２１…可動部、７２２…ピン、７２３…歯、Ｒ１〜Ｒ３…第１の回転位置〜第３の回転位置、Ｒ４…節度位置、Ｒ５…回転位置、Ｓ１…操作量情報、Ｓ２…表示制御信号、Ｓ３…第１の制御信号、Ｓ４…第２の制御信号、Ｓ５…表示指示信号、θ１…第１の角度、θ２…第２の角度、θ３…角度
【図１】
2020125019.tif 000003
【図２】
2020125019.tif 000004
【図３】
2020125019.tif 000005
【図４】
2020125019.tif 000006
【図５】
2020125019.tif 000007
【図６】
2020125019.tif 000008
【図７】
2020125019.tif 000009